(57)【特許請求の範囲】
【請求項１】
隣接するセグメント間に形成されている溝により互いに電気的に絶縁されている複数のセグメントを備える整流子の製造方法であって、
ブラシと摺動する摺動平面を有するカーボン製の接触母材と、前記接触母材の前記摺動平面と反対側に配設され、後工程において接続材により前記接触母材と電気的に接続される端子母材との内、他方の母材に向けて整流子の回転軸方向に突出し、かつ整流子の回転軸を取り囲む突部を有する一方の母材を形成する工程と、
前記突部の外周側面を取り囲む内周側面を有する他方の母材を形成する工程と、
前記内周側面が前記外周側面を取り囲むように両母材を組付ける工程と、
前記外周側面と前記内周側面との間に形成されている隙間に両母材を電気的に接続する接続材を充填する工程と、
前記接続材により電気的に接続された両母材を支持部材に装着する工程と、
溝を形成することにより、互いに電気的に絶縁され、回転方向に配設される複数のセグメントに両母材を分割する工程とを有し、
前記接続材を充填する前の両母材を組付けた状態において、前記外周側面は前記内周側面に対し移動不可か、あるいは移動しても前記外周側面と前記内周側面との間に形成される隙間の形状が変化しないように、前記外周側面と前記内周側面とは周方向の複数箇所で接しており、前記外周側面と前記内周側面とが接している周方向の複数箇所の間に前記隙間が形成されていることを特徴とする整流子の製造方法。
【請求項２】
両母材を形成する工程において、前記外周側面および前記内周側面の少なくともいずれか一方に、接続材充填用の凹部を形成することを特徴とする請求項１記載の整流子の製造方法。
【請求項３】
両母材を形成する工程において、前記外周側面および前記内周側面の両方に接続材充填用の凹部を形成することを特徴とする請求項２記載の整流子の製造方法。
【請求項４】
前記外周側面は円状に形成されており、前記内周側面は、前記外周側面が周方向の複数箇所で前記内周側面に内接する多角形状に形成されていることを特徴とする請求項１から３のいずれか一項記載の整流子の製造方法。
【請求項５】
隣接するセグメント間に形成されている溝により互いに電気的に絶縁されている複数のセグメントを備える整流子であって、
各セグメントは、カーボンで形成されブラシと摺動する接触部材と、前記接触部材の前記ブラシとの摺動側と反対側に配設されている端子部材と、前記接触部材と前記端子部材とを電気的に接続している接続材とを有し、
複数の前記接触部材が構成し前記ブラシと摺動する摺動平面を有する接触部、および複数の前記端子部材が構成する端子部の一方は、他方に向けて整流子の回転軸方向に突出し、かつ整流子の回転軸を取り囲む突部を有し、前記接触部および前記端子部の他方は前記突部の外周側面を取り囲む内周側面を有し、前記接続材は前記外周側面と前記内周側面との間に形成されている隙間に充填され、前記接触部材と前記端子部材とを電気的に接続しており、
前記外周側面、ならびに隣接する前記外周側面をそれぞれ延長して前記溝を埋める連結面により構成される第１仮想面と、前記内周側面、ならびに隣接する前記内周側面をそれぞれ延長して前記溝を埋める連結面により構成される第２仮想面とは、前記第１仮想面が前記第２仮想面に対し、移動不可か、あるいは移動しても前記第１仮想面と前記第２仮想面との間に形成される隙間の形状が変化しないように周方向の複数箇所で接しており、前記第１仮想面と前記第２仮想面とが接している周方向の複数箇所の間に前記隙間が形成されていることを特徴とする整流子。
【請求項６】
前記第１仮想面と前記第２仮想面との間に形成される隙間は、前記隙間を形成する各接触部材と各端子部材との間において周方向に連続して増減していることを特徴とする請求項５記載の整流子。
【請求項７】
前第１仮想面は円状であり、前記第２仮想面面は、前記第１仮想面が周方向の複数箇所で前記第２仮想面に内接する多角形状に形成されていることを特徴とする請求項５または６記載の整流子。
【請求項８】
請求項５から７のいずれか一項記載の整流子を用いることを特徴とする燃料ポンプ。
【発明の詳細な説明】
【０００１】
【発明の属する技術分野】
本発明は、ブラシと接触する接触部材をカーボンで形成している整流子、それを用いた燃料ポンプおよび整流子の製造方法に関する。
【０００２】
【従来の技術】
従来より、米国特許番号第５１７５４６３号に開示されているように、ブラシと摺動する接触部材をカーボンで形成することにより、接触部の耐腐食性および耐摩耗性を向上する整流子が知られている。整流子は複数のセグメントから例えば円板状に構成されており、隣接するセグメントの間は溝により互いに電気的に絶縁されている。各セグメントは、接触部材と、ろう材等の接続材により接触部材と電気的に接続される金属製の端子部材とにより構成されている。カーボンは接続材とのぬれ性が悪いので、端子部材との接続面に予め金属めっきを施しておく。端子部材に形成した爪に電機子のコイルの端部をフュージング等により電気的に接続することにより、ブラシから接触部材、端子部材を経て電機子のコイルに電力を供給する。
【０００３】
【発明が解決しようとする課題】
しかしながら、接触部材と端子部材とはブラシと摺動する接触部材の摺動平面と平行な平面で対向しているので、接触部材と端子部材との対向面全体が接続材でろう付けされる。したがって、各セグメントの端子部材とコイルとを電気的に接続する位置と接続材との位置が近いので、フュージング等の熱を発生する方法で各セグメントの端子部材とコイルとを電気的に接続すると接続材が溶出することがある。各セグメントを絶縁している溝に溶出した接続材が流れ込むとセグメント同士が電気的に導通する恐れがある。
【０００４】
そこで、端子部材とコイルとの接続位置から離れた位置において、接触部材の摺動平面と交差する面で接触部材と端子部材とを対向させ、対向面同士の間に接続材を充填して接触部材と端子部材とを電気的に接続することが考えられる。接続材の位置が端子部材とコイルとの電気的接続位置から離れているので、端子部材とコイルとを電気的に接続する際に熱が発生しても、接続材が溶出することを防止することができる。
【０００５】
しかし、接触部材と端子部材との位置がずれると対向面同士の間に形成される隙間がばらつく。隙間が小さいと接続材が充填できない箇所が発生し、隙間が大きいと接続材の中に空隙が生じるので、接触部材と端子部材とが電気的接続不良を起こす恐れがある。
【０００６】
本発明の目的は、接触部材と端子部材とを確実に電気的に接続するとともに、接触部材と端子部材との位置決めが容易な整流子、それを用いた燃料ポンプおよび整流子の製造方法を提供することにある。
【０００７】
【課題を解決するための手段】
本発明の請求項１記載の整流子の製造方法によると、一方の母材に形成した突部の外周側面と他方の母材に形成した内周側面との間に形成されている隙間に接続材を充填して両母材を電気的に接続する。したがって、整流子を取付ける電機子のコイルと端子部材とを電気的に接続する接続位置から接続材の位置を離すことができるので、電機子のコイルと端子部材とをフュージング等で電気的に接続する際に発生する熱により接続材が溶けることを抑制できる。これにより、溶けた接続材がセグメント間に形成されセグメントを電気的に絶縁している溝に流れ込むことを防止し各セグメントの絶縁を確保することができるので、整流子の歩留りが向上し、製造コストを低減できる。
【０００８】
さらに、接続材を充填する前の両母材を組付けた状態において、外周側面は内周側面に対し、移動不可か、あるいは移動しても外周側面と内周側面との間に形成される隙間の形状が変化しないように外周側面と内周側面とは複数箇所で接している。したがって、隙間調整をすることなく両母材を組付け両母材を位置決めすることができるので、製造工数が低減する。さらに、外周側面と内周側面との間に形成される隙間の形状が変化しないので、両母材を確実に電気的に接続することができる。
【０００９】
本発明の請求項２記載の整流子の製造方法によると、両母材を形成する工程において、外周側面および内周側面の少なくともいずれか一方に接続材充填用の凹部を形成している。凹部の形成位置以外において両側面が形成する隙間が小さくても、両母材を組付けた状態で凹部に確実に接続材を充填できるので、凹部に充填された接続材が外周側面と内周側面との間に形成される隙間に進入し、両母材を確実に電気的に接続できる。
【００１０】
本発明の請求項３記載の整流子の製造方法によると、両母材を形成する工程において、外周側面および内周側面の両方に接続材充填用の凹部を形成しているので、接続材の充填量が増加する。これにより、両母材を確実に電気的に接続できる。
【００１１】
本発明の請求項５記載の整流子によると、複数の接触部材が構成する接触部、および複数の端子部材が構成する端子部の一方は他方に向けて整流子の回転軸方向に突出する突部を有し、接触部および端子部の他方は突部の外周側面を取り囲む内周側面を有し、接続材は外周側面と内周側面との間に形成されている隙間に充填され、接触部材と端子部材とを電気的に接続している。したがって、整流子を取付ける電機子のコイルと端子部材とを電気的に接続する接続位置から接続材の位置を離すことができるので、電機子のコイルと端子部材とをフュージング等で電気的に接続する際に発生する熱により接続材が溶けることを抑制できる。これにより、溶けた接続材がセグメント間に形成されセグメントを電気的に絶縁している溝に流れ込むことを防止し各セグメントの絶縁を確保することができるので、整流子の歩留りが向上し、製造コストを低減できる。
【００１２】
さらに、外周側面を含む第１仮想面と内周側面を含む第２仮想面とは、第１仮想面が第２仮想面に対し移動不可か、あるいは移動しても第１仮想面と第２仮想面との間に形成される隙間の形状が変化しないように複数箇所で接している。したがって、溝を形成して分割する前の接触部材および端子部材の両母材を隙間を調整することなく組付けることができるので、製造工数が低減する。さらに、外周側面と内周側面との間に形成される隙間の形状が変化しないので、接触部材と端子部材とを確実に電気的に接続することができる。
また、接触部材がカーボンで形成されているので、接触部材の耐腐食性および耐摩耗性が向上する。したがって、整流子の寿命が長くなる。
【００１３】
本発明の請求項６記載の整流子によると、第１仮想面と第２仮想面との間に形成される隙間は、隙間を形成する各接触部材と各端子部材との間において周方向に連続して増減している。したがって、接触部材および端子部材の両母材の加工誤差が生じても、接続材が確実に充填される隙間が接触部材と端子部材との間に存在する。したがって、接触部材と端子部材とを確実に電気的に接続することができる。
【００１７】
本発明の請求項８記載の燃料ポンプによると、整流子の接触部材がカーボンで形成されているので、燃料中の水分、酸または硫黄等に対する耐腐食性が向上するともに耐摩耗性も向上するので、燃料ポンプの寿命が長くなる。さらに、整流子の歩留りが向上するので、燃料ポンプの製造コストを低減できる。
さらに、整流子の接触部材および端子部材の組付けが容易であるから、燃料ポンプの製造工数が低減する。
【００１８】
【発明の実施の形態】
以下、本発明の実施の形態を示す複数の実施例を図に基づいて説明する。
（第１実施例）
本発明の燃料ポンプを示す第１実施例を図４に示す。図４に示す燃料ポンプ１０は、例えば電子式燃料噴射システムの燃料供給システムにおいて車両等の燃料タンク内に収容されており、燃料タンクから吸入した燃料をエンジン側に供給するものである。
【００１９】
燃料ポンプ１０はポンプ部２０とこのポンプ部２０を駆動する電磁駆動部としてのモータ部３０とから構成されている。モータ部３０はブラシ付の直流モータであり、円筒状のハウジング１１内に永久磁石を環状に配置し、この永久磁石の内周側に同心円上に電機子３２を配置した構成となっている。
【００２０】
ポンプ部２０は、ケーシング本体２１、ケーシングカバー２２およびインペラ２３等から構成されている。ケーシング本体２１およびケーシングカバー２２により一つのケーシング部材が構成され、その内部に回転体としてのインペラ２３が回転自在に収容されている。ケーシング本体２１およびケーシングカバー２２は、例えばアルミのダイカスト成形により形成されている。ケーシング本体２１はハウジング１１の一方の端部内側に圧入固定されており、その中心に軸受２５が嵌着されている。ケーシングカバー２２は、ケーシング本体２１に被せられた状態でハウジング１１の一端にかしめ等により固定されている。ケーシングカバー２２の中心にはスラスト軸受２６が圧入固定されている。電機子３２の回転シャフト３５の一方の端部は、軸受２５により回転自在に径方向に支持されているとともに、スラスト軸受２６によりスラスト方向の荷重を支持されている。回転シャフト３５の他方の端部は軸受２７により回転自在に径方向に支持されている。
【００２１】
ケーシングカバー２２に燃料吸入口４０が形成されており、周縁部に羽根片を形成したインペラ２３が回転することにより図示しない燃料タンク内の燃料が燃料吸入口４０からポンプ流路４１に吸入される。ポンプ流路４１は、インペラ２３の外周に沿いケーシング本体２１とケーシングカバー２２との間にＣ字状に形成されている。ポンプ流路４１に吸入された燃料はインペラ２３の回転により加圧され、モータ部３０の燃料室３１に圧送される。
【００２２】
電機子３２はモータ部３０内に回転自在に収容され、コイルがコア３２ａの外周に巻回されている。整流子５０は円板状に形成されており、電機子３２の図３の上部に配設されている。図示しない電源から、コネクタ４５に埋設されたターミナル４６、図示しないブラシ、整流子５０を介してコイルに電力が供給される。供給された電力により電機子３２が回転すると、電機子３２の回転シャフト３５とともにインペラ２３が回転する。インペラ２３が回転すると、燃料吸入口４０からポンプ流路４１に燃料が吸入され、この燃料がインペラ２３の各羽根片から運動エネルギーを受けてポンプ流路４１から燃料室３１に圧送される。燃料室３１に圧送された燃料は、電機子３２の周囲を通過し燃料吐出口４３から燃料ポンプ外に吐出される。燃料吐出口４３には逆止弁４４が収容されており、この逆止弁４４が燃料吐出口４３から吐出された燃料の逆流を防止している。
【００２３】
次に整流子５０の構成を詳細に説明する。
図１および図２に示すように、整流子５０は、等角度間隔に形成された８個のセグメント６０、およびセグメント６０を固定する支持部材としての固定部５６を有している。各セグメント６０は接触部材５１および端子部材５３を有し、放射状の溝６１により互いに電気的に絶縁されている。
【００２４】
図１および図２に示す接触部材５１はカーボンで形成されており、ブラシと摺動する摺動平面５１ｂを有している。端子部材５３は黄銅等の導電性の良い金属で形成されており、外周側に突出する爪５５を有している。この爪５５に電機子３２のコイルがフュージングにより電気的に接続される。固定部５６は熱硬化性樹脂で形成されており、接触部材５１および端子部材５３を固定している。溝６１は接触部材５１から端子部材５３を通過し固定部５６にまで達しているので、各セグメント６０は互いに電気的に絶縁されている。図１において、５１ａ、５３ａおよび５６ａは、溝６１に面する接触部材５１、端子部材５３および固定部５６の端面を表している。
【００２５】
各セグメントを構成する接触部材５１は端子部材５３との対向側に突出する断面扇状の突部５２を設けている。突部５２の外周側面５２ａの外周側に外周側面５２ａと径方向に対向する端子部材５３の内周側面５４が形成されている。外周側面５２ａと内周側面５４とはブラシと摺動する接触部材５１の摺動平面５１ｂと直交しており、はんだ等のろう材からなる接続材５７により電気的に接続されている。
【００２６】
次に、整流子５０の製造工程について説明する。
(1) 接触部材５１の図３に示す接触母材１００は、８個の接触部材５１が構成する接触部の溝６１を埋めた円形状をしている。接触母材１００の内周側に整流子の回転軸方向に突出する円環状の突部１０１が形成されている。
【００２７】
端子部材５３の銅製の端子母材１０２は、突部１０１を取り囲むように円環状に形成されている。
突部１０１の第１仮想面としての外周側面１０１ａは円状に形成されており、外周側面１０１ａを取り囲む第２仮想面としての内周側面１０２ａは正八角形の各頂点にめっき材充填用の凹部５４ａが形成されている。
外周側面１０１ａおよび内周側面１０２ａにろう付け処理を施しておく。
【００２８】
(2) 図３に示すように、接触母材１００と端子母材１０２とを組付けた状態で外周側面１０１ａが内周側面１０２ａに内接しているので、接触母材１００と端子母材１０２とは互いに回転可能であるが、中心位置がずれない。したがって、接触母材１００と端子母材１０２とが互いに回転しても外周側面１０１ａと内周側面１０２ａとの間に形成される隙間の大きさおよび形状が変化しない。したがって、隙間を調整することなく接触母材１００と端子母材１０２とを組付け両母材を位置決めすることができるので、製造工数が低減する。
【００２９】
(3) 外周側面１０１ａと内周側面１０２ａとの間にはんだ等の接続材５７を充填し、接続材５７を加熱後冷却することにより外周側面１０１ａと内周側面１０２ａとをろう付けする。内周側面１０２ａに凹部５４ａが形成されているので、凹部５４ａに確実に接続材５７を充填することができる。したがって、外周側面１０１ａと内周側面１０２ａとの間に形成される隙間に凹部５４ａから接続材５７が進入し、接触母材１００と端子母材１０２とを確実に電気的に接続することができる。
【００３０】
外周側面１０１ａと内周側面１０２ａとが形成する隙間は、小さすぎると接続材５７が進入しにくく、大きすぎると接続材５７の内部に空隙が生じることがある。したがって、隙間の位置によって、外周側面１０１ａと内周側面１０２ａとに電気的接続不良が発生する恐れがある。しかし、次工程で形成される接触部材５１と端子部材５３とに対応する位置の隙間は、図３に示すように周方向両側が狭く中央部が大きくなるように周方向に連続して増減しているので、接触部材５１と端子部材５３との間に形成される隙間に接続材５７が確実に進入し、接触部材５１と端子部材５３とを確実に電気的に接続することができる。
【００３１】
(4) ろう付け後樹脂を充填して固定部５６を形成する。接触母材１００側から端子母材１０２を通過し固定部５６に達するまで図３の二点鎖線に示す位置に溝６１を形成し、等間隔に８個のセグメント６０を形成することにより、図１および図２に示す整流子５０を形成する。
【００３２】
このように形成した整流子５０を電機子３２の上部に組付け、各爪５５に電機子３２のコイルの端部を引っかけてフュージングする。フュージングの熱により端子部材５３が加熱されるが、接続材５７は爪５５から離れているので、融点温度まで接続材５７の温度が上昇しにくい。したがって、接続材５７が溶け、溝６１に達することを防止できるので、セグメント６０同士の絶縁を確保できる。
【００３３】
（第２実施例）
本発明の第２実施例を図５に示す。
接触母材１０５は、八角の環状星型に形成した突部１０６を有している。端子母材１０７の第２仮想面としての内周側面１０７ａは正八角形状に形成され、突部１０６の第１仮想面としての外周側面１０６ａを取り囲んでいる。
【００３４】
図５に示すように、接触母材１０５と端子母材１０７とを組付けた状態で突部１０６の星型の頂点が内周側面１０７ａの各頂点と接しているので、接触母材１０５と端子母材１０７とは互いに移動不可であり、中心位置がずれない。したがって、外周側面１０６ａと内周側面１０７ａとの間に形成される隙間の大きさおよび形状が変化しない。これにより、隙間を調整することなく接触母材１０５と端子母材１０７とを組付けることができるので、製造工数が低減する。
【００３５】
（変形例）
第２実施例の変形例を図６に示す。変形例では、内周側面１０７ａに凹部１０７ｂを形成している。したがって、外周側面１０６ａと内周側面１０７ａとの間に充填される接続材５７の量が増え、外周側面１０６ａと内周側面１０７ａとを確実にろう付けすることができる。
【００３６】
（第３実施例）
本発明の第３実施例を図７に示す。
突部１０１の形状は第１実施例と同一である。端子部材の端子母材１１０の第２仮想面としての内周側面１１０ａに等角度間隔に八箇所凹部１１０ｂが形成されている。
【００３７】
接触母材１００と端子母材１１０とを組付けた状態で外周側面１０１ａが内周側面１１０ａに内接しているので、接触母材１００と端子母材１１０とは互いに回転可能であるが、中心位置がずれない。したがって、接触母材１００と端子母材１１０とが互いに回転しても外周側面１０１ａと内周側面１１０ａとの間に形成される隙間の大きさおよび形状が変化しない。これにより、隙間を調整することなく接触母材１００と端子母材１１０とを組付けることができるので、製造工数が低減する。
【００３８】
以上説明した本発明の実施の形態を示す第１、第２および第３実施例では、接続材を充填する前の接触母材と端子母材とを組付けた状態において、接触部材に形成した突部の外周側面と、外周側面の外周を取り囲む端子母材の内周側面とが複数箇所で接しており、内周側面に対し外周側面が移動不可か、回転移動だけを許容されており、外周側面と内周側面との間に形成される隙間の大きさおよび形状が変化しない。したがって、外周側面と内周側面との間に形成される隙間を調整することなく接触母材と端子母材とを組付け両母材を位置決めすることができるので、製造工数が低減する。
【００３９】
さらに、接触部材と端子部材との間に形成される隙間の大きさが周方向に連続して増減しているので、加工誤差によりこれら隙間の大きさまたは形状が変動しても、接続材が充填される位置が確実に存在する。したがって、接触部材と端子部材とを確実に電気的に接続することができる。
【００４０】
（第４実施例）
本発明の第４実施例を図８および図９に示す。第１実施例と実質的に同一構成部分に同一符号を付し、説明を省略する。
図８に示すように、整流子１２０の各セグメントは接触部材１２１および端子部材１２３を有し、各セグメントの周方向両側に放射状に形成された溝６１により互いに電気的に絶縁されている。接触部材１２１はカーボンで形成されており、端子部材１２３は銅等の導電性の良い金属で形成されている。図８に示す５７ａ、１２１ａ、１２３ａは、溝６１に面する接続材５７、接触部材１２１および端子部材１２３の端面を表している。
【００４１】
各セグメントを構成する接触部材１２１は、端子部材１２３との対向側である整流子１２０の一方の回転軸方向に突出する断面扇状の突部１２２を設けている。図９に示すように、突部１２２の外周側面１２２ａの外周側に外周側面１２２ａと径方向に対向する端子部材１２３の内周側面１２４が形成されている。つまり、外周側面１２２ａおよび内周側面１２４はブラシと摺動する接触部材１２１の摺動平面１２１ｂと交差するように形成されている。図９は接続材５７を除去した状態を示し、図８と上下が反転している。外周側面１２２ａと内周側面１２４との間に、図９に示す形状の隙間１２５が周方向両側の溝６１に達するまで形成されている。隙間１２５に充填されている接続材５７により接触部材１２１と端子部材１２３とは電気的に接続されている。
【００４２】
内周側面１２４は接触部材１２１の摺動平面１２１ｂと直交している。外周側面１２２ａの一部はテーパ状に形成されており、図９に示すように内周側面１２４に対し突部１２２の突出方向、つまり回転軸１２９の一方向に向かうに従い回転軸１２９側に傾斜している。したがって、図９に示す接続材５７を除いた状態で、隙間１２５の大きさは回転軸１２９の一方向に向かうに従い連続して増加している。また、接続材５７と接触する外周側面１２２ａの面積は内周側面１２４よりも大きい。
【００４３】
第４実施例では、隙間１２５の大きさが整流子１２０の回転軸１２９の一方向に向かうに従い連続して増加している。したがって、接触部材１２１および端子部材１２３をそれぞれ形成する母材に加工誤差等があったり、母材の組付け位置がずれることにより外周側面と内周側面との間に形成される隙間の大きさが変化しても、母材の加工誤差量や組付け時の母材の位置ずれ量が隙間１２５の吸収範囲内であれば、回転軸方向のいずれかの位置において隙間１２５に接続材５７が充填され、外周側面１２２ａと内周側面１２４とを確実に電気的に接続することができる。さらに、母材の位置決めを高精度に行う必要がないので、母材の組付けが容易になる。
【００４４】
また、外周側面１２２ａの方が内周側面１２４よりも接続材５７との接触面積が大きいので、図９に示す状態で両側面に接続材５７を塗布するかまたは隙間１２５に固体の接続材を配設すると、接触部材１２１側から受ける熱により外周側面１２２ａから接続材５７の溶融が始まる。そして、外周側面１２２ａが接続材５７で十分にぬれてから外周側面１２２ａを接続材が流れ落ち、接続材５７とのぬれ性に優れる端子部材１２３の内周側面１２４を接続材５７がぬらす。したがって、ぬれ性に劣る外周側面１２２ａとぬれ性に優れる内周側面１２４とを接続材により確実に電気的に接続できる。
【００４５】
（変形例１）
第４実施例の変形例１を図１０に示す。図１０は第４実施例を示す図９と同様に接続材を除去した状態を示している。変形例１は、接触部材１３０に形成された突部１３１の外周側面１３１ａではなく、端子部材１３２の内周側面１３３の一部が外周側面１３１ａに対し傾斜している例である。
【００４６】
外周側面１３１ａは接触部材１３０の摺動平面１３０ａと直交している。内周側面１３３の一部はテーパ状に形成されており、外周側面１３１ａに対し突部１２２の突出方向、つまり整流子の回転軸の一方向に向かうに従い回転軸から離れる方向に傾斜している。したがって、図１０に示す接続材５７を除いた状態で、隙間１３４の大きさは回転軸の一方向に向かうに従い連続して増加している。
【００４７】
したがって第４実施例と同様に、接触部材１３０および端子部材１３２を形成する母材の加工誤差量や組付け時の母材の位置ずれ量が隙間１３４の吸収範囲内であれば、回転軸方向のいずれかの位置において隙間１３４に接続材が充填され、外周側面１３１ａと内周側面１３３とを確実に電気的に接続することができる。さらに、母材の位置決めを高精度に行う必要がないので、母材の組付けが容易になる。
【００４８】
（変形例２）
第４実施例の変形例２を図１１に示す。図１１は変形例１を示す図１０と同様に接続材を除去した状態を示している。変形例２は、接触部材１３５に形成された突部１３６の外周側面１３１ａを凸曲面状に形成している例である。
【００４９】
外周側面１３６ａは凸曲面状に形成されている。端子部材１３７の内周側面１３８は、ブラシと摺動する接触部材１３５の摺動平面１３５ａと直交している。図１１に示す接続材を除いた状態で、隙間１３９の大きさは、突部１３６の突出方向、つまり回転軸の一方向に向かうに従い連続して増加している。
【００５０】
したがって第４実施例と同様に、接触部材１３５および端子部材１３７を形成する母材の加工誤差量や組付け時の母材の位置ずれ量が隙間１３９の吸収範囲内であれば、回転軸方向のいずれかの位置において隙間１３９に接続材が充填され、外周側面１３６ａと内周側面１３８とを確実に電気的に接続することができる。さらに、母材の位置決めを高精度に行う必要がないので、母材の組付けが容易になる。
【００５１】
以上説明した第４実施例およびその変形例では、外周側面および内周側面の一方の側面をテーパ面または凸曲面にすることにより、両側面の間に形成される隙間の大きさを接触部材に形成する突部の突出方向に向かうに従い連続して増加させている。これに対し、糸状または環状に形成した接続材を両部材を形成する母材の外周側面と内周側面との間に配設し、接続材を溶融して接触部材と端子部材とを電気的に接続するのであれば、隙間の増加方向を第４実施例およびその変形例と逆方向にしてもよいし、回転軸方向の両側よりも中央部の隙間を大きくしてもよい。
【００５２】
また、外周側面および内周側面の一方の側面を例えば多段の階段状にすることにより両側面の間に形成される隙間の大きさを整流子の回転軸方向に増減させることによっても、外周側面と内周側面との間に形成される隙間に接続材を充填し、両部材を電気的に接続することができる。
【００５３】
以上説明した本発明の実施の形態を示す上記複数の実施例では、接触部材に形成した突部と、この突部の外周側面を覆う端子部材の内周側面とを接続材５７で電気的に接続している。つまり、ブラシと摺動する接触部材の摺動平面と直交するかまたは交差する両側面により接触部材と端子部材とは電気的に接続しているので、端子部材の爪５５と電機子のコイルとをフュージング等で電気的に接続する位置と、接触部材と端子部材との電気的接続位置の距離を離すことができる。したがって、フュージングする際に発生する熱により端子部材が加熱されても接続材５７の温度が融点にまで達することを防止できる。したがって、接続材５７が溶出して溝６１に流れ込み隣接するセグメントを導通することを防止できる。これにより整流子の歩留りが向上するので、整流子および整流子を用いた燃料ポンプの製造コストを低減することができる。
【００５４】
上記複数の実施例では、接触部材に突部を設け、端子部材の内周側面により突部の外周側面を覆ったが、端子部材に突部を設け、接触部材の内周側面により突部を覆ってもよい。また、セグメントの数は８個以外でもよい。
【００５５】
本発明の整流子を燃料ポンプの電機子だけではなく他の装置の電機子に用いることにより、該当装置の寿命が延びるとともに製造コストを減少することができる。
【図面の簡単な説明】
【図１】本発明の第１実施例による整流子を示す図２のＩ−Ｉ線断面図である。
【図２】本発明の第１実施例による整流子を示す平面図である。
【図３】分割前における接触母材と端子母材との電気的接続状態を示す断面図である。
【図４】第１実施例の整流子を用いた燃料ポンプを示す断面図である。
【図５】本発明の第２実施例による分割前における接触母材と端子母材との電気的接続状態を示す断面図である。
【図６】第２実施例の変形例を示す断面図である。
【図７】本発明の第３実施例による分割前における接触母材と端子母材との電気的接続状態を示す断面図である。
【図８】図１と同一断面における本発明の第４実施例の整流子を示す断面図である。
【図９】接続材を除去した状態における第９実施例の隙間の形状を示す模式的断面図である。
【図１０】第４実施例の変形例１において、接続材を除去した状態における隙間の形状を示す模式的断面図である。
【図１１】第４実施例の変形例２において、接続材を除去した状態における隙間の形状を示す模式的断面図である。
【符号の説明】
１０      燃料ポンプ
５０      整流子
５１      接触部材
５１ｂ    摺動平面
５２      突部
５２ａ    外周側面
５３      端子部材
５４      内周側面
５４ａ    凹部
５６      固定部（支持部材）
５７      接続材
６０      セグメント
６１      溝
１００      接触母材
１０１      突部
１０１ａ    外周側面（第１仮想面）
１０２      端子母材
１０２ａ    内周側面（第２仮想面）
１０５      接触母材
１０６      突部
１０６ａ    外周側面（第１仮想面）
１０７      端子母材
１０７ａ    内周側面（第２仮想面）
１０７ｂ    凹部
１１０      端子母材
１１０ａ    内周側面（第２仮想面）
１１０ｂ    凹部
１２０      整流子
１２１、１３０、１３５          接触部材
１２２、１３１、１３６          突部
１２２ａ、１３１ａ、１３６ａ    外周側面
１２３、１３２、１３７          端子部材
１２４、１３３、１３８          内周側面
１２５、１３４、１３９          隙間
【図１】
0003919050.tif 000002
【図２】
0003919050.tif 000003
【図３】
0003919050.tif 000004
【図４】
0003919050.tif 000005
【図５】
0003919050.tif 000006
【図６】
0003919050.tif 000007
【図７】
0003919050.tif 000008
【図８】
0003919050.tif 000009
【図９】
0003919050.tif 000010
【図１０】
0003919050.tif 000011
【図１１】
0003919050.tif 000012